(57)【要約】      （修正有）【課題】着脱の際の操作を簡便化して利便性を高め、デザインの自由度を高めて装飾性の展開を可能にし、装着感の優れた装身具用留め具およびそれを用いた装身具を提供する。【解決手段】二つの挟持部１，２から構成される環状の連結部において、板バネ３、操作部、およびカムを内蔵するヒンジ機構８のすべての機構部分を二つの挟持部に組み込む。装身具の装飾性を損なう機械動作部分を内蔵し、装身具を使用する際に機械動作する機構部分が見えない構造なのでデザインの自由度が高く装飾性の展開が容易であると同時に、小型・軽量化によって長時間使用しても疲れにくい装身具を作ることができる。【選択図】図１
0003155597.tif 000002
【実用新案登録請求の範囲】
【請求項１】
連珠状、鎖状、紐状、帯状のネックレス、ブレスレット等の装飾品において、装飾品を挟む２つの挟持部が環状の連結部を構成することを特徴とする装身具用留め具。
【請求項２】
請求項１に記載の留め具において、前記の二つの部分で構成される挟持部の一つに半円形あるいはＣ型の板ばねを内蔵した装身具用留め具。
【請求項３】
請求項２に記載の留め具において、カムを内蔵したもう一つの挟持部と前記の板ばねを内蔵した挟持部とをヒンジで繋ぎ、ヒンジ機構と板ばねによって挟持部の開閉動作が制限される装身具用留め具。
【請求項４】
請求項３に記載の留め具において、片側の挟持部に装飾部を接合するための穴を設けた装身具用留め具。
【請求項５】
請求項４に記載の留め具において、片側の挟持部に設けた穴に装飾部を付加した装身具用留め具。
【請求項６】
請求項３および請求項５に記載の装身具用留め具を使用した装身具。
【考案の詳細な説明】
【技術分野】
【０００１】  本考案は装身具用留め具、およびそれを用いた装身具に関するものである。
【背景技術】
【０００２】  連珠状、鎖状、紐状、帯状のネックレス、ブレスレット等の装飾品において、装飾品の本体の片端に取付けられた連結部が、装飾品本体の別の部分を挟持し、長さの調節機能があり、装着の際の簡便性を高めるとともに装飾性を付加することができる装身具用留め具がある。【０００３】  さまざまな分野の道具および機器の蓋の開閉操作、折り畳み操作において、板バネがカム形状を有したヒンジを押圧することでヒンジの回転動作を制限する仕組みを利用し、途中まで開くと後は決められた角度まで自動的に開き、途中まで戻すと後は自動で閉じる利便性の高い機構が広く使われている。【０００４】
【先行技術文献】
【特許文献】
【０００５】
【特許文献１】特開２００７−３０７０６５
【０００６】
【特許文献２】実用新案登録３１３２８９６号
【考案の概要】
【考案が解決しようとする課題】
【０００７】  第一の例、特許文献１に開示される発明は、複数個の装飾部材を連ねてなる装飾品本体の片端に取付けられた留め具が装飾品本体の別の部分を挟持して留める装身具用留め具である（図１８）。装飾品を留める挟持部４４ａと挟持部４４ｂと２本の指で抓んで着脱する開閉操作部４３ａと開閉操作部４３ｂの間にヒンジ４７がある構造である（図１６）。開閉操作部４３ａと開閉操作部４３ｂはコイルばね４９と同等以上の大きさで、なおかつ指で抓むことのできる大きさを必要とする（図１７）。また、装着の際の操作の利便性を考慮すれば開口部４５ａと開口部４５ｂをある程度大きくしなければならない。したがって留め具全体を小型化することは困難である。また、装飾性を重視する装身具においては留め具全体の使用の際に機械的な外観が見えることは装飾性に劣る。【０００８】  また、特許文献１に開示される発明では、挟持する機構面において、ヒンジ４７および操作部４３ａと操作部４３ｂにコイル４９ばねが組み込まれ、操作部４３ａと操作部４３ｂを指で挟んで挟持部を開き、指を離せば挟持部が閉じる仕組みである。このため、装着時にコイルばねが絶えず装飾品を押圧、挟持する状態を保持するので不用意な脱落を避ける機能があるものの、装飾品を装着する際、留め具を挟持する位置を決めるまで二本の指で操作部を抓み続けて開口部の開けた状態を維持しなければならない。指先に力を加え続けなければならない操作は指が疲れるので利便性に欠ける。【０００９】  第二の例、特許文献２に開示される考案では、磁石などの係合部材を使用してネックレス、ブレスレットなどの装飾品を留め付ける。留め具の機構部分の構造としてはヒンジ３６、挟持部３７ａと挟持部３７ｂ、係合部材３５ａと係合部材３５ｂ、開閉操作部３３で構成される（図１９）。着脱の際に開口部が大きく開くので開閉の操作性が優れている反面、不用意な動作で開いた際は脱落の恐れがある。そのため十分かつ安定した挟持力を得るための磁石など係合部材３５ａと係合部材３５ｂが大きくなることが避けられない。【００１０】  また、挟持部３１、係合部材３５ａと係合部材３５ｂをあわせた機械的な機構部分は装着時に見た目の装飾性を損なうため、装飾部３２と装飾部３３を挟持部３１の前面に付加してしなければならない。装飾部３２と装飾部３３は機構部分全体を覆う大きさを必要とする。装飾性を重視する装身具においては、装飾部分のサイズや形状の自由度が高ければそれだけ多くのデザイン展開が可能であり、付加価値を高めることが出来る。特許文献２に開示される考案は構造面が原因で装飾部のサイズや形状が制限されるため装飾性に対する制約が大きい。【００１１】  また、特許文献２に開示される考案は装飾部３２と装飾部３３及び挟持部３１を合わせた留め具全体が大きなものになる。金、銀など貴金属を使用して留め具を作る場合、材料コストを抑えることは困難である。また、特許文献２に開示される考案は留め具全体が大きくなるので重量も重くなる。ネックレスなどの装身具は一般に重量が重くなると装着感が悪くなり、長時間使用すると肩こりなど苦痛を感じる場合がある。【００１２】  本考案は、上記のような問題を解決するためになされたものであって、その目的とするところは、機構部分を小型・軽量化、内蔵化することで貴金属原材料コストを抑えるとともに、着脱の際の操作を簡便化し、使用の際の装着感を高め、装飾部分のデザインの多様性を広げることの出来る装身具用留め具およびそれを用いた装身具を提供することにある。
【課題を解決するための手段】
【００１３】  上記の問題を解決するため、挟持部１と挟持部２の二つ部分で構成される環状の挟持部において、挟持部１の中に板ばね３を内蔵する。板ばね３が挟持される装飾品と同軸上に包み込むように挟持部１に内蔵されるため、機構部分全体が小型化されると同時に、小型でありながら使用時には外から機械動作する板ばねが見えない（図１、図５）。【００１４】  挟持部１と挟持部２の二つ部分で構成される環状の挟持部において、挟持部１の比率を大きくし、挟持部２を小さくする。長く大きい環状挟持部１に半円形あるいはＣ型の板ばね３が内蔵できる（図５）。環状挟持部１の空洞１７にヒンジ８の方向から板ばね３を挿入して固定位置１８でかしめという方法で留め、カム４を一体成型した挟持部２と挟持部１とをヒンジ８で組立てて板ばね３が挟持部１に内蔵される。支柱１６で押圧して図９の矢印の方向に押しこむ方法で内蔵された板ばね３の位置の微調整と動作の最適化調整を行い、同時に板ばねの飛び出しを押さえ込む。板ばね３は１８の位置一箇所だけで固定されているため、ばね全体の動作の自由度が高く、ばね本来の機械的特性を引出すことが出来る。（図９）【００１５】  図５、図６、図７で示す挟持部１と挟持部２の二つ部分で構成される環状挟持部の２において、外から動作がほとんど見えないカム４を有するヒンジ機構を内蔵し、ヒンジ機構と板ばね３の働きで環状挟持部の開閉動作を制限する。図８で示すカムと板ばねの動作については、留め具を閉じた状態３ａの位置から中間で停止する３ｂの位置までは板ばねが閉じた状態３ａに自動的に戻る動作をする。３ｃの位置から３ｄの位置では、板ばねが開いた状態３ｄに自動的に戻る動作をする。３ｂの位置から３ｃの位置では不安定ながらも停止するもののわずかな力を３ａの位置の方向に加えると閉じる動作、３ｄの方向に加えると開く動作をする。【００１６】  ヒンジ機構と板ばねが挟持部の動作を制限するため、装着の操作において、挟持部１および挟持部２が係止する位置まで開いたままの状態を保つことが出来、挟持部１と挟持部２を閉じるときは二本の指で装飾品を挟み、操作部５と挟持部２あるいは装飾部２２を軽く挟んで押せば係止することが出来る（図１２）。装飾品の脱着操作においては、操作部５を一本の指で押下げるだけで開口部を開くことが出来る（図１３）。【００１７】  環状の挟持部２においては、装飾部を付加する場合接合用の皿型の台座６と穴１５を最上部に設け、付加される装飾部材の大きさ、形および素材に応じてねじ切り、かしめあるいは接着剤による接着などの手段で装飾部材を固定することが出来る。装飾部材の大きさに合わせて挟持体２の上に設置される皿型の台座６を必要十分な大きさする。装飾部材が大きい場合は、ねじ切りによる接合が望ましい。また、装飾部を付加しない場合は台座や穴を設置せず、単純な留め具として使用することができる。【００１８】
【考案の効果】
【００１９】  留め具としての機構部分が小型であるうえ、小さな開口操作部５を除くと機械的外観の機構部分がほとんど露出していない。開口操作部５は小さな鋸形状の凹凸がわずかに突起した形状なので外観は機械的な印象を与えない。機構部分を装飾部で覆わなければならないという制約が限定的なので付加する装飾部のサイズや形状の自由度が大きい。挟持部１，挟持部２，皿型の台座６からなる機構部に後から装飾部を付加することが出来る構造のため装飾部に使用する部材には多種多様な素材のものを使うことができる。（図１０、図１１）【００２０】  また、留め具の機構部分が小型・軽量なので、金、銀などの貴金属を使用した際の機構部分の原材料コストを抑えることができる。留め具の軽量化によって、使用の際の装着感が良くなり、長時間使っても疲れにくい装身具を作ることができる。【００２１】  十分な挟持力を得るため、一定の強度の板バネの使用が望ましい。板ばね３を長く湾曲した構造にしたため、カム状のヒンジ機構が板バネを押圧しながら動作する際、動作が滑らかでなおかつ十分な挟持力を持たせることが出来る。板ばねが十分な挟持力を持ちながら、動作機構を内蔵し全体のサイズを小型化した構造にすることが出来る。【００２２】  装身具を装着と脱着の操作において、カムを有するヒンジ機構と板ばねが挟持部の動作を制限するため、挟持部１および挟持部２が装飾品に係止する位置を決めるまで開口部１０を開いたままの状態を保つことが出来、閉じるときは二本の指で挟持部１と挟持部２を途中まで押せばバネの力で二つの挟持部が閉じ、留め具を装飾品に係止するまで無駄な力を使い続ける必要がない（図１２）。装飾品の脱着の操作においては、一本の指で操作部５を途中まで押下げるだけで開口部１０を開くことが出来る（図１３）。たとえばネックレスの装着、脱着操作は目視できない首の後ろで行う場合も多い、ブレスレットは片手のみで操作しなければならない場合があり、操作が簡便な留め具は利便性が高い。【００２３】  装身具を装着の際、何らかの力が働いて挟持部が少し開くことも考えられる、カム４の働きは図８の点線で示す３ｂの範囲内であれば元に戻る力が働くため、いきなり解放・脱落するトラブルを防止する働きがある。【００２４】  装身具は季節や流行によって使用される素材、色、サイズ、形状など需要の変化が速い。また、時代とともに消費者が求めるデザインの多様性がますます拡大している。装飾部に付加する装飾部材の素材の種類、大きさ、形状を幾つかに類型化し、予めそれに合わせて装飾部接合用の穴１５の仕様と台座６の大きさ、形状を用意しておけば、幅広い素材やデザインのものを速やかに商品化することが出来、需要に応じた装身具用留め具を適時に作ることが可能である。本考案の留め具は、機構部分を事前に用意し、需要に応じた装飾部を後から付加することができるため、在庫調整が容易であるとともに、季節性やデザイン性の変化に応じた商品を適時に作ることが出来る。
【考案の実施例】
【００２５】  図１０は例えば珊瑚などで彫刻した薔薇彫刻の石２２と環状挟持部２の間に芯材２３を入れ、接着剤で接合したものである。例えば真珠など連珠状に連なるネックレスの留め具として使用した場合、留め具を首の後方で使えば、ネックレスの長さを調節することの出来る装飾性が高い留め具として使うことができる。（図１４）。
【００２６】  図１１は例えば貝などで彫刻した花２４ａを花芯２７でねじ留めしたものである。例えば真珠などの小粒の珠（２６ａ，２６ｂ，２６ｃ，２６ｃ，２６ｄ）を花芯の先に付け装飾性を高めることができる。挟持部２に大きな装飾部を付加する場合、接合の強度を高めるためにねじ留めに加え接着剤による固定が望ましい。例えば真珠など連珠状に連なるネックレスの留め具として使用した場合、留め具を胸元に付け装飾性の高いネックレスとして使用できる。留め具の留め位置を変えて装着の際の状況や服装に合わせることが出来る（図１５）。
【図面の簡単な説明】
【００２７】
【図１】本考案の装身具用留め具の実施の形態を示す機構部分の上面図である。（挟持体を閉じた状態）
【図２】本考案の装身具用留め具の実施の形態を示す機構部分の正面図である。（挟持体を閉じた状態）
【図３】本考案の装身具用留め具の実施の形態を示す機構部分の側面図である。（挟持体を閉じた状態）
【図４】本考案の装身具用留め具の実施の形態を示す機構部分の上面図である。（挟持体を開いた状態）
【図５】本考案の装身具用留め具の実施の形態を示す機構部分の上面図の断面である。（挟持体を閉じた状態）
【図６】本考案の装身具用留め具の実施の形態を示す機構部分の上面図の断面である。（挟持体を半分開いた状態）
【図７】本考案の装身具用留め具の実施の形態を示す機構部分の上面図の断面である。（挟持体を開いた状態）
【図８】本考案の装身具用留め具の挟持体に内蔵された半円形，或いはＣ型の板ばねの動作を説明する断面図。
【図９】本考案の装身具用留め具の挟持体１に半円形，或いはＣ型の板ばねが挿入される前の上面の断面図。
【図１０】本考案の装身具用留め具の装飾部に薔薇の装飾部材接合した実施例を説明する上面図と側面図。
【図１１】本考案の装身具用留め具の装飾部に花の装飾部材を接合し実施例を説明する上面図と側面図。
【図１２】本考案の装身具用留め具が連珠状のネックレスに取付けられ、装着の際、挟持体が閉じる動作を説明する斜視図。
【図１３】本考案の装身具用留め具が連珠状のネックレスに取付けられ、脱着の際、挟持体が開く動作を説明する斜視図。
【図１４】本考案の装身具用留め具の使用例
【図１５】本考案の装身具用留め具の使用例
【図１６】第一の例を示す側面図。（挟持体を閉じた状態）
【図１７】第一の例の留め具に使用されるコイルばねの位置を示す透視図。
【図１８】第一の例の留め具の操作を説明する側面図。（挟持体を開いた状態）
【図１９】第二の例の留め具を示す側面図。（挟持体を閉じた状態）
【図２０】第二の例の留め具を示す側面図。（挟持体を開いた状態）
【図２１】第二の例の留め具の操作を説明する側面図。（挟持体を閉じた状態）
【符号の説明】
【００２８】１    環状の挟持体
２    環状の挟持体
３    半円形あるいはＣ型の板ばね
４    カム
５    操作部
６    装飾部接合用の皿型の台座
７    連珠、鎖などの一端を係止するリング
８    ヒンジの軸
１０  開口部
１６  板ばね調整用の支柱
【図１】
0003155597.tif 000003
【図２】
0003155597.tif 000004
【図３】
0003155597.tif 000005
【図４】
0003155597.tif 000006
【図５】
0003155597.tif 000007
【図６】
0003155597.tif 000008
【図７】
0003155597.tif 000009
【図８】
0003155597.tif 000010
【図９】
0003155597.tif 000011
【図１０】
0003155597.tif 000012
【図１１】
0003155597.tif 000013
【図１２】
0003155597.tif 000014
【図１３】
0003155597.tif 000015
【図１４】
0003155597.tif 000016
【図１５】
0003155597.tif 000017
【図１６】
0003155597.tif 000018
【図１７】
0003155597.tif 000019
【図１８】
0003155597.tif 000020
【図１９】
0003155597.tif 000021
【図２０】
0003155597.tif 000022
【図２１】
0003155597.tif 000023
【手続補正書】
【提出日】平成21年8月27日(2009.8.27)
【手続補正１】
【補正対象書類名】実用新案登録請求の範囲
【補正対象項目名】全文
【補正方法】変更
【補正の内容】
【実用新案登録請求の範囲】
【請求項１】
連珠状、鎖状、紐状、帯状のネックレス、ブレスレット等の装飾品において、装飾品を挟む２つの挟持部が環状の連結部を構成することを特徴とする装身具用留め具。
【請求項２】
請求項１に記載の留め具において、前記の二つの部分で構成される挟持部の一つに半円形あるいはＣ型の板ばねを内蔵した装身具用留め具。
【請求項３】
請求項２に記載の留め具において、カムを内蔵したもう一つの挟持部と前記の板ばねを内蔵した挟持部とをヒンジで繋ぎ、ヒンジ機構と板ばねによって挟持部の開閉動作が制限される装身具用留め具。
【請求項４】
請求項３に記載の留め具において、片側の挟持部に装飾部を接合するための穴を設けた装身具用留め具。
【請求項５】
請求項４に記載の留め具において、片側の挟持部に設けた穴に装飾部を付加した装身具用留め具。
【請求項６】
請求項３または請求項５に記載の装身具用留め具を使用した装身具。